(57)【要約】【課題】外光の侵入を抑制し、測定精度を向上させる分光測定装置及び保管ケースを提供することを目的とする。【解決手段】生体検査装置１は、入射する光に含まれる測定対象波長の光の光量を取得する測定モジュール１０と、測定モジュール１０を収納し、測定モジュール１０に向かう光を通過させる窓部２３を有する筐体２０と、を備えている。筐体２０には、当該筐体２０の表面２２Ａのうちの、少なくとも窓部２３を囲む領域に粘着部材２４が設けられている。この粘着部材２４は、測定モジュール１０に向かう光の光軸Ｌに沿う方向に見た平面視において、窓部２３よりも外側で当該窓部２３を囲む、少なくとも測定対象波長を含む測定波長域の光を遮る遮光部２４１を有する。【選択図】図２
2016090250.tif 000002
【特許請求の範囲】
【請求項１】
入射する光に含まれる測定対象波長の光の光量を取得する測定モジュールと、
前記測定モジュールを収納し、前記測定モジュールに向かう光を通過させる窓部を有する筐体と、を備え、
前記筐体には、当該筐体の表面のうちの、少なくとも前記窓部を囲む領域に粘着部材が設けられ、
前記粘着部材は、前記測定モジュールに向かう光の光軸に沿う方向に見た平面視において、前記領域における前記窓部よりも外側で当該窓部を囲み、少なくとも前記測定対象波長を含む測定波長域の光を遮る遮光部を有する
ことを特徴とする分光測定装置。
【請求項２】
請求項１に記載の分光測定装置において、
前記遮光部は、前記平面視において、前記粘着部材の外周縁よりも内側に設けられる
ことを特徴とする分光測定装置。
【請求項３】
請求項２に記載の分光測定装置において、
前記遮光部は、前記平面視において、前記窓部の外縁に沿って設けられる
ことを特徴とする分光測定装置。
【請求項４】
請求項１から請求項３のいずれか１項に記載の分光測定装置において、
前記粘着部材は、少なくとも前記測定波長域の光を透過させる透光部を有し、前記遮光部及び前記透光部が一体成形される
ことを特徴とする分光測定装置。
【請求項５】
請求項１から請求項４のいずれか１項に記載の分光測定装置において、
前記粘着部材は、前記平面視において前記窓部と重なる位置に設けられ、少なくとも前記測定波長域の光を透過させる透光部を有し、
前記窓部は、前記筐体に設けられた開口と、当該開口に配置された透光部材とを有し、
前記透光部は、前記透光部材との屈折率差が所定の閾値以下である
ことを特徴とする分光測定装置。
【請求項６】
請求項１から請求項５のいずれか１項に記載の分光測定装置において、
当該分光測定装置を制御する制御部が設けられた回路基板を備え、
前記遮光部は、炭素系導電性フィラーを含有して導電性を有し、
前記筐体は、前記遮光部と前記回路基板とを導通させる配線を有する
ことを特徴とする分光測定装置。
【請求項７】
請求項１から請求項６のいずれか１項に記載の分光測定装置において、
前記測定モジュールは、
対象に光を照射する光源部と、
前記対象からの光から所定の波長の光を選択して出射させ、かつ出射させる光の波長を変更可能な分光フィルターと、
前記分光フィルターからの光を受光する受光部と、を備える
ことを特徴とする分光測定装置。
【請求項８】
入射する光に含まれる測定対象波長の光の光量を取得する分光測定装置の表面の少なくとも一部に設けられる粘着部材に剥離シートを貼着した粘着シートを複数収納する保管ケースであって、
前記分光測定装置は、
前記光量を取得する測定モジュールと、
前記測定モジュールを収納し、前記測定モジュールに向かう光を通過させる窓部を有する筐体と、を備え、
前記筐体の表面には、少なくとも前記窓部を囲み、粘着部材が設けられる領域が設定され、
前記粘着部材は、前記測定モジュールに向かう光の光軸に沿う方向に見た平面視において、前記領域における前記窓部よりも外側で当該窓部を囲み、少なくとも前記測定対象波長を含む測定波長域の光を遮る遮光部を有し、
前記保管ケースは、
前記粘着シートが載置される載置面を有する底部と、
前記載置面の周囲に連続し、前記底部と接離する方向に沿って設けられた側壁部と、を備え、
前記側壁部は、
前記剥離シートの外周縁の少なくとも一部に当接し、前記接離する方向に直交する面内における前記剥離シートの位置を規制する第１規制部と、
前記窓部を前記載置面に向けて、前記分光測定装置を前記底部に対して前記接離する方向に移動させる際に、前記筐体の外周縁の少なくとも一部に当接し、前記接離する方向に見て前記粘着部材と前記領域とが重なるように、前記直交する面内における前記分光測定装置の位置を規制する第２規制部と、を備える
ことを特徴とする保管ケース。
【発明の詳細な説明】
【技術分野】
【０００１】
本発明は、分光測定装置及び保管ケースに関する。
【背景技術】
【０００２】
対象に光を照射して、対象からの光として所定の波長の光を受光することで、当該所定の波長の光量を取得する装置が知られている（例えば、特許文献１）。
特許文献１には、赤外ＬＥＤ（Light Emitting Diode）及び緑色ＬＥＤを含む発光手段を発光させて、対象からの光をフォトダイオード（受光手段）で受光し、受光結果から脈拍を検出する脈拍検出装置が記載されている。
【０００３】
この脈拍検出装置では、フォトダイオードが、筐体の内部に配置されており、筐体に設けられた開口から筐体内部に光を取り込んでいる。この筐体に設けられた開口を囲むように、凸部が形成されている。この凸部を対象に当接させた状態で測定を実施する。
【先行技術文献】
【特許文献】
【０００４】
【特許文献１】特開２００５−１６０６４１号公報
【発明の概要】
【発明が解決しようとする課題】
【０００５】
しかしながら、特許文献１に記載の装置では、装置を対象に押し付けて、凸部で対象を変形させることで、筐体と対象との間の隙間から外光が侵入することを抑制しているため、装置を押圧し続けなければならず、押圧力が変化した際に上記隙間が発生するおそれがあった。このように隙間が発生すると、外光が筐体の内部に侵入し、測定精度が低下するという課題があった。
【０００６】
本発明は、外光の侵入を抑制し、測定精度を向上させる分光測定装置及び保管ケースを提供することを目的とする。
【課題を解決するための手段】
【０００７】
本発明の一適用例に係る分光測定装置は、入射する光に含まれる測定対象波長の光の光量を取得する測定モジュールと、前記測定モジュールを収納し、前記測定モジュールに向かう光を通過させる窓部を有する筐体と、を備え、前記筐体には、当該筐体の表面のうちの、少なくとも前記窓部を囲む領域に粘着部材が設けられ、前記粘着部材は、前記測定モジュールに向かう光の光軸に沿う方向に見た平面視において、前記領域における前記窓部よりも外側で当該窓部を囲み、少なくとも前記測定対象波長を含む測定波長域の光を遮る遮光部を有することを特徴とする。
【０００８】
本適用例の分光測定装置は、筐体の表面における窓部を含む領域の少なくとも一部に粘着部材が設けられる。この粘着部材は、測定モジュールに受光される光の光軸に沿う方向に見た平面視において、窓部よりも外側に、少なくとも測定波長域の光を遮る遮光部を有する。
本適用例では、窓部が設けられた側から分光測定装置を、測定の対象に対して押し当てた際に、粘着部材を介して、筐体を対象に密着させることができる。これにより、対象に密着している粘着部材の遮光部によって外光を遮ることができる。したがって、対象と筐体との間の隙間、及び窓部を通過した、測定波長域の光を含む外光が、筐体内部に到達して、測定モジュールで受光されることを抑制でき、測定精度を向上させることができる。
【０００９】
本適用例の分光測定装置において、前記遮光部は、前記平面視において、前記粘着部材の外周縁よりも内側に設けられることが好ましい。
【００１０】
本適用例では、透光部が遮光部の外側に設けられ、すなわち遮光部が粘着部材の外周縁よりも内側に設けられている。粘着部材の外周縁では、粘着部材が剥離しやすい。この外周縁に沿って遮光部を設ける場合、遮光部が剥離した部分から外光が侵入するおそれがある。これに対して、本適用例では、遮光部は、剥離が生じやすい粘着部材の外周縁よりも内側に設けられているため、遮光部の剥離を抑制でき、外光の侵入をより確実に抑制できる。
【００１１】
本適用例の分光測定装置において、前記遮光部は、前記平面視において、前記窓部の外縁に沿って設けられることが好ましい。
【００１２】
本適用例では、窓部の外縁に沿って遮光部を設ける。このような構成では、窓部に沿って遮光部が設けられるので、上記外光の侵入をより効果的に抑制できる。
【００１３】
本適用例の分光測定装置において、前記粘着部材は、少なくとも前記測定波長域の光を透過させる透光部を有し、前記遮光部及び前記透光部が一体成形されることが好ましい。
【００１４】
本適用例では、粘着部材は、遮光部及び透光部が一体成形されているため、例えば、粘着部材の交換時に、全体を一体的に剥離させることができる。また、粘着部材を筐体に配置する際に、一体的に配置することができる。したがって、筐体に対して粘着部材の位置合わせをすることにより、遮光部を適切な位置に配置することができる。以上から、粘着部材の交換を容易に実施することができる。
【００１５】
本適用例の分光測定装置において、前記粘着部材は、前記平面視において前記窓部と重なる位置に設けられ、少なくとも前記測定波長域の光を透過させる透光部を有し、前記窓部は、前記筐体に設けられた開口と、当該開口に配置された透光部材とを有し、前記透光部は、前記透光部材との屈折率差が所定の閾値以下であることが好ましい。
【００１６】
本適用例では、粘着部材は、窓部と重なる位置に設けられ、測定波長域の光を透過する透光部を有し、この透光部と透光部材との屈折率差が所定の閾値以下である。このような構成では、対象と窓部との間に空気層が形成される場合に比べて、透光部材の界面における屈折率の差を小さくすることができる。したがって、当該界面における反射を抑制でき、光の利用効率を向上させることができる。
なお、上記所定の閾値は、上記窓部の界面における反射の影響を許容できる程度の値であり、少なくとも空気と透光部材との屈折率差よりも小さい値である。
【００１７】
本適用例の分光測定装置において、当該分光測定装置を制御する制御部が設けられた回路基板を備え、前記遮光部は、炭素系導電性フィラーを含有して導電性を有し、前記筐体は、前記遮光部と前記回路基板とを導通させる配線を有することが好ましい。
【００１８】
本適用例では、遮光部は、炭素系導電性フィラーを含有することで導電性を有する。この遮光部と、回路基板とを配線で導通させることで、遮光部を電極として用いることができる。例えば、表皮を測定の対象とする場合、当該表皮に遮光部を接触させることで、回路基板を接地するグランド電極として用いることができる。
【００１９】
本適用例の分光測定装置において、前記測定モジュールは、対象に光を照射する光源部と、前記対象からの光から所定の波長の光を選択して出射させ、かつ出射させる光の波長を変更可能な分光フィルターと、前記分光フィルターからの光を受光する受光部と、を備えることが好ましい。
【００２０】
本適用例では、光源からの光を分光する分光フィルターを備え、この分光フィルターが選択する波長を変更可能に構成されている。このような構成では、複数の測定波長に対する分光測定を容易に実施することができる。
【００２１】
本発明の一適用例に係る保管ケースは、入射する光に含まれる測定対象波長の光の光量を取得する分光測定装置の表面の少なくとも一部に設けられる粘着部材に剥離シートを貼着した粘着シートを複数収納する保管ケースであって、前記分光測定装置は、前記光量を取得する測定モジュールと、前記測定モジュールを収納し、前記測定モジュールに向かう光を通過させる窓部を有する筐体と、を備え、前記筐体の表面には、少なくとも前記窓部を囲み、粘着部材が設けられる領域が設定され、前記粘着部材は、前記測定モジュールに向かう光の光軸に沿う方向に見た平面視において、前記領域における前記窓部よりも外側で当該窓部を囲み、少なくとも前記測定対象波長を含む測定波長域の光を遮る遮光部を有し、前記保管ケースは、前記粘着シートが載置される載置面を有する底部と、前記載置面の周囲に連続し、前記底部と接離する方向に沿って設けられた側壁部と、を備え、前記側壁部は、前記剥離シートの外周縁の少なくとも一部に当接し、前記接離する方向に直交する面内における前記剥離シートの位置を規制する第１規制部と、前記窓部を前記載置面に向けて、前記分光測定装置を前記底部に対して前記接離する方向に移動させる際に、前記筐体の外周縁の少なくとも一部に当接し、前記接離する方向に見て前記粘着部材と前記領域とが重なるように、前記直交する面内における前記分光測定装置の位置を規制する第２規制部と、を備えることを特徴とする。
【００２２】
本適用例では、保管ケースは、第１規制部によって、底部に接離する方向（以下、接離方向とも称する）に直交する面内における剥離シートの位置を規制することで、接離方向に直交する面内の所定位置に粘着シートを配置する。そして、底部に対して接離方向に分光測定装置を移動させる際に、保管ケースは、第２規制部によって、接離方向に直交する面内の分光測定装置の位置を規制し、接離方向に見て、粘着部材と、粘着部材を設置する領域とを重ならせる。
このような構成では、筐体の所定の位置に粘着部材を配置することができ、すなわち、筐体の所定の位置に遮光部を配置することができる。したがって、上記適用例の効果を取得可能な分光測定装置をより確実かつ容易に構成することができる。
【図面の簡単な説明】
【００２３】
【図１】本発明の一実施形態に係る生体検査装置と、当該生体検査装置に貼着される粘着部材を含む粘着シートを保管する保管ケースとの概略構成を示す斜視図。
【図２】生体検査装置の概略構成を示す断面図。
【図３】波長可変干渉フィルターの概略構成を示す断面図。
【図４】粘着部材が貼着された生体検査装置の対向部の表面を模式的に示す平面図。
【図５】粘着シートの構成を模式的に示す図であり、（Ａ）は粘着シートを厚み方向に見た平面図、（Ｂ）は粘着シートを厚み方向に切断した断面を示す断面図。
【図６】保管ケースの概略構成を示す斜視図。
【図７】水平面に載置され、粘着シートが収納された保管ケースを鉛直方向の上方から見た上面図。
【図８】水平面に載置され、粘着シートが収納された保管ケースを鉛直方向の上方から見た上面図。
【図９】水平面に載置され、凹部に生体検査装置が配置された保管ケースを鉛直方向に上方から見た上面図。
【発明を実施するための形態】
【００２４】
以下、本発明の一実施形態について説明する。
図１は、本発明の分光測定装置の一実施形態に係る生体検査装置１と、生体検査装置１に貼着される粘着部材２４を含む粘着シート３０を保管する保管ケース４０との概略構成を示す斜視図である。
図１に示す、生体検査装置１は、測定対象、例えば測定者の腕等の測定対象に密着した状態で、当該測定対象に対して光を照射し、その分光スペクトルを取得し、当該分光スペクトルを用いて生体に含まれる成分を分析する。この生体検査装置１は、後に詳述するが、測定対象に筐体２０が密着するように、測定時に測定対象側に向けられる対向部の表面の所定の位置に粘着部材２４が取り付けられている。この粘着部材２４は、剥離シート３１、３２に貼着された状態で、図１に示す保管ケース４０に収納されている。そして、当該保管ケース４０を用いて、粘着シート３０を、対向部の表面の所定の位置に取り付けることができる。粘着シート３０及び保管ケース４０の構成については、後に詳述する。
【００２５】
［生体検査装置の構成］
図２は、生体検査装置１の概略構成を示す図である。
本実施形態の生体検査装置１は、本発明の分光測定装置に相当し、図２に示すように、測定モジュール１０と、当該測定モジュール１０を収納する筐体２０と、を備えている。この生体検査装置１は、一例として、体内を流れる血液の酸素飽和度を測定する構成を例示する。
【００２６】
［測定モジュールの構成］
測定モジュール１０は、図２に示すように、波長可変干渉フィルター５、光源部１１、受光部１２及び回路基板１３を有する。これら光源部１１、波長可変干渉フィルター５、及び受光部１２は、筒状のモールド樹脂１４によって覆われ、回路基板１３に一体的に固定される。
【００２７】
［波長可変干渉フィルターの構成］
図３は、波長可変干渉フィルター５の概略構成を示す断面図である。
波長可変干渉フィルター５は、分光素子であり、測定対象から反射された光から所定波長の光を透過させる。この波長可変干渉フィルター５は、透光性の固定基板５１及び可動基板５２を備え、これらの固定基板５１及び可動基板５２が、例えばシロキサンを主成分とするプラズマ重合膜などにより構成された接合膜５３により接合されることで、一体的に構成されている。このような波長可変干渉フィルター５は、例えば分光素子としてＡＯＴＦ（Acousto-Optic Tunable Filter）やＬＣＴＦ（Liquid crystal tunable filter）を用いる場合等に比べて素子サイズが小さくでき、測定モジュール１０の小型化を図ることができる。
【００２８】
固定基板５１は、エッチングにより形成された電極配置溝５１１及び反射膜設置部５１２を備えている。そして、電極配置溝５１１には、固定電極５６１が設けられ、反射膜設置部５１２には、固定反射膜５４が設けられている。
固定電極５６１は、電極配置溝５１１において、例えば反射膜設置部５１２を囲う環状に形成されている。
この固定反射膜５４としては、例えばＡｇ等の金属膜や、Ａｇ合金等の合金膜を用いることができる。また、例えば高屈折層をＴｉＯ２、低屈折層をＳｉＯ２とした誘電体多層膜を用いてもよい。さらに、誘電体多層膜上に金属膜（または合金膜）を積層した反射膜や、金属膜（または合金膜）上に誘電体多層膜を積層した反射膜、単層の屈折層（ＴｉＯ２やＳｉＯ２等）と金属膜（または合金膜）とを積層した反射膜などを用いてもよい。
【００２９】
可動基板５２は、図３に示すように、可動部５２１と、可動部５２１の外に設けられ、可動部５２１を保持する保持部５２２とを備えている。
可動部５２１は、保持部５２２よりも厚み寸法が大きく形成され、例えば、本実施形態では、可動基板５２の厚み寸法と同一寸法に形成されている。この可動部５２１は、フィルター平面視において、少なくとも反射膜設置部５１２の外周縁の径寸法よりも大きい径寸法に形成されている。そして、この可動部５２１には、可動電極５６２及び可動反射膜５５が設けられている。
【００３０】
可動電極５６２は、固定電極５６１に対向する位置に設けられている。また、可動反射膜５５は、固定反射膜５４に対向する位置に、ギャップＧ１を介して配置されている。この可動反射膜５５としては、上述した固定反射膜５４と同一の構成の反射膜が用いられる。波長可変干渉フィルター５は、各反射膜５４，５５に直交する光軸Ｌに沿って、各反射膜５４，５５が対向する有効領域Ａ１を通過する測定対象光から、ギャップＧ１の寸法に応じた光を透過させる。
【００３１】
保持部５２２は、可動部５２１の周囲を囲うダイアフラムであり、可動部５２１よりも厚み寸法が小さく形成されている。このような保持部５２２は、可動部５２１よりも撓みやすく、僅かな静電引力により、可動部５２１を固定基板５１側に変位させることが可能となる。これにより、固定反射膜５４及び可動反射膜５５の平行度を維持した状態で、ギャップＧ１のギャップ寸法を変更することが可能となる。
なお、本実施形態では、ダイアフラム状の保持部５２２を例示するが、これに限定されず、例えば、平面中心点を中心として、等角度間隔で配置された梁状の保持部が設けられる構成などとしてもよい。
【００３２】
以上のような波長可変干渉フィルター５では、固定電極５６１及び可動電極５６２により静電アクチュエーター５６が構成されており、これらの電極５６１，５６２が、回路基板１３に設けられた図示略の電圧制御回路（ドライバ）を介して制御装置に接続されている。そして、制御装置の制御の下、電圧制御回路から静電アクチュエーター５６に電圧が印加されることで、電圧に応じた静電引力が電極５６１，５６２間に作用し、反射膜間ギャップＧ１のギャップ寸法が変更される。これにより、波長可変干渉フィルター５を透過する光の波長を測定対象波長域内で変化させることが可能となる。
【００３３】
［光源部、受光部及び回路基板の構成］
図２に戻り、光源部１１は、筐体２０に設けられた後述する窓部２３から測定対象に対して、光を照射する。照射する光としては、成分分析を実施するに当って、分析対象の成分の吸収波長（固有波長）を含む光であればよく、例えば、可視光域から近赤外光域の光を照射する。この光源部１１は、例えば、ＬＥＤやＯＬＥＤ（Organic Light Emitting Diode）や抵抗発熱体等の光源１１１が、透光性の支持基板１１２に設けられている。なお、光源１１１は、後述する波長可変干渉フィルター５の光軸に沿って、測定対象Ｘから波長可変干渉フィルター５に向かう光の光路に重ならない位置に配置されている。また、光源１１１の波長可変干渉フィルター５側には、当該光源１１１からの光を、波長可変干渉フィルター５とは反対側に位置する測定対象Ｘに向かって反射させるリフレクター等の導光部材が適宜配置されている。
【００３４】
受光部１２は、波長可変干渉フィルター５を透過した光を受光し、その受光量に応じた検出信号を図示略の制御装置に出力する。この受光部１２は、受光素子１２１と、受光素子１２１が設けられる支持基板１２２と、受光素子１２１の受光面側（波長可変干渉フィルター５側）に配置され、受光素子１２１及び支持基板１２２を覆う透光基板１２３とを備える。なお、受光素子１２１として、例えば、イメージセンサー等を用いることで、画像を取得することができる。
【００３５】
回路基板１３は、図示を省略するが、生体検査装置１を制御する制御装置（制御部）が設けられている。また、回路基板１３には、上述のように、光源部１１、波長可変干渉フィルター５、及び受光部１２がモールド樹脂１４に覆われて、回路基板１３に一体的に固定される。この回路基板１３が筐体２０に固定される。なお、光源部１１、波長可変干渉フィルター５、及び受光部１２は、順に配置されている。そして、光源部１１と波長可変干渉フィルター５との間、及び波長可変干渉フィルター５と受光部１２との間には、透光性の樹脂１５が充填され、当該樹脂１５で互いに接合されている。したがって、光源部１１と波長可変干渉フィルター５との間、及び波長可変干渉フィルター５と受光部１２との間に空気層が形成されることによる反射を抑制できる。
【００３６】
［筐体の構成］
筐体２０は、図２に示すように、内部に収容空間が形成され、この収容空間内に測定モジュール１０が収納される。
なお、筐体２０の表面には、表示部２５や、ユーザーの指示を受け付ける操作ボタン（図示省略）等が設けられている。また、筐体２０は、生体検査装置１を使用者の腕等の対象に取り付けるための帯状のバンド部２６が設けられている。
【００３７】
筐体２０の壁部のうち、光軸Ｌに交差する２つの壁部の一方は、回路基板１３が固定された固定部２１であり、他方は、測定時に測定対象Ｘ側に向けられ、測定対象Ｘに対向する対向部２２である。
固定部２１の内面には、回路基板１３が接着剤等によって固定されている。
対向部２２には、有効領域Ａ１と重なる位置に、測定対象からの光を内部に導く窓部２３が形成されている。なお、本実施形態では、図１に示すように、対向部２２と、光源部１１との間にも、透光性の樹脂１５が充填されており、空気層が形成されることによる反射を抑制できる。
【００３８】
図４は、対向部２２側から見た際の生体検査装置１の概略構成を示す図である。
窓部２３は、図１及び図４に示すように、筐体２０に設けられた開口２３１に、透光部材２３２が配置されて構成される。透光部材２３２は、ガラス、石英、ポリカーボネート、及びアクリル等の透光性を有する材料で形成される。
【００３９】
ここで、図４に示すように、光軸Ｌに沿って見た平面視において、開口２３１の寸法は、有効領域Ａ１の寸法よりも大きく、モールド樹脂１４の開口部の内縁１４Ａの寸法よりも小さくなるように形成されていることが好ましい。開口２３１の寸法を有効領域Ａ１の寸法よりも大きくすることで、有効領域Ａ１の全域に光を入射させることができる。また、開口の寸法をモールド樹脂１４の開口部の内縁１４Ａの寸法よりも小さくすることにより、開口から入射した光の一部が、モールド樹脂１４の対向部２２側の端面で反射して迷光となることを抑制できる。
【００４０】
対向部２２の表面２２Ａには、粘着部材２４が設けられている。この粘着部材２４は、光軸Ｌに沿って見た平面視において、窓部２３を覆って配置されるシート状の部材である。粘着部材２４は、図４に示すように、上記平面視において窓部２３よりも外側でかつ、粘着部材２４の外周縁２４Ａよりも内側に、窓部２３を囲むように窓部２３の外縁に沿って設けられた遮光部２４１と、遮光部２４１以外の透光部２４２と、を有する。粘着部材２４は、これら遮光部２４１と透光部２４２とが一体に形成され、粘着性を有するシート状の部材である。
【００４１】
遮光部２４１は、粘着性を有し、炭素系導電性フィラーを含むゲル状樹脂であり。なお、炭素系導電性フィラーは、カーボンブラック、炭素繊維、及びグラファイト等の導電性を有する炭素材料を用いることができる。これにより、遮光部２４１は、少なくとも測定波長域である可視光域の光を遮光する。また、ゲル状樹脂としては、シリコーン系樹脂、アクリル系樹脂、エポキシ系樹脂、ウレタン系樹脂等の各種樹脂を用いることができる。
【００４２】
この遮光部２４１は、導電性を有し、対向部２２の表面２２Ａに露出する接続電極２２１に接触している。この接続電極２２１は、接続配線２２２（一部図示省略）を介して回路基板１３に接続されており、回路基板１３と遮光部２４１とを導通させている。遮光部２４１は、測定時には、人体等の測定対象に接触しており、グランドに接続させることができる。
【００４３】
透光部２４２は、遮光部２４１以外の位置に設けられ、窓部２３と重なる位置では、透光部材２３２に密着している。この透光部２４２は、上述の粘着性を有するゲル状樹脂で形成され、透光部材２３２との間の屈折率差が所定の閾値以下である。なお、この所定の閾値は、上記透光部材２３２の界面における反射の影響を許容できる程度の値であり、少なくとも空気と透光部材２３２との屈折率差よりも小さい値である。
なお、遮光部２４１は、導電性フィラーを含有することで、粘着性が低下する場合があるため、透光部２４２のサイズを適宜調整することで、粘着部材２４の全体において、所望の粘着力を得ることができる。
【００４４】
このように構成された、生体検査装置１は、対向部２２側から測定対象Ｘに押し当てられた状態で、測定波長域における分光測定を実施する。すなわち、測定対象Ｘの表面に粘着部材２４を密着させた状態で、光源部１１を発光させ、測定対象Ｘからの光の光量を測定波長の各波長で取得する。生体検査装置１は、取得した各測定波長の光量から分光スペクトルを取得し、取得した分光スペクトルに基づいて成分分析を実施する。生体検査装置１は、成分分析により、ピーク位置がそれぞれ異なる複数のスペクトル成分に、分光スペクトルを分離し、各スペクトル成分に基づいて、含有成分の種類や、含有量の比を算出することができる。なお、成分分析の方法、各含有成分の特定方法、及び含有量の比を算出方法は、公知の方法を用いることができる。
【００４５】
［粘着シートの構成］
図５は、粘着シートの構成を模式的に示す図であり、図５（Ａ）は、粘着シート３０を厚み方向に見た平面図であり、図５（Ｂ）は、粘着シート３０を厚み方向に切断した断面を示す断面図である。
粘着シート３０は、図５（Ｂ）に示すように、粘着部材２４と、当該粘着部材２４を厚み方向に挟むように配置され、粘着部材２４を剥離可能な第１剥離シート３１及び第２剥離シート３２と、を備える。
【００４６】
第１剥離シート３１及び第２剥離シート３２は、例えば、基材の表面に樹脂等のコーティングを施したシート材であり、表面に貼着された粘着部材２４を容易に剥離させることができる。
厚み方向に見た平面視において、第１剥離シート３１及び第２剥離シート３２の外形は、略矩形状であり、筐体２０の対向部２２の外形と略一致する。
第１剥離シート３１は、図５（Ａ）に示すように、矩形の一辺から、第１剥離シート３１の外側に向かって当該一辺に直交する方向に突出する突出部３１１を有する。この突出部３１１は、厚み方向に見た平面視において、略矩形状の外形を有する。なお、後述するが、粘着シート３０が、保管ケースに４０に収納される際に、突出部３１１は保管ケース４０に設けられた第１溝部４２５に配置される。
【００４７】
［保管ケースの構成］
図６は、保管ケース４０の概略構成を示す斜視図である。
図６に示す保管ケース４０は、複数の粘着シート３０を内部に収納する（図１参照）。また、保管ケース４０は、生体検査装置１の所定の位置に粘着部材２４を貼着する際の治具として使用される。
この保管ケース４０は、図６に示すように、略矩形状の底部４１と、底部４１の外周縁部から起立し、前記底部４１の周囲を囲む側壁部４２と、を備える。この底部４１及び側壁部４２によって形成された凹部４３に粘着シート３０が収納される。
底部４１の側壁部４２に囲まれた内面４１Ａは、粘着シート３０が載置される載置面として機能する。底部４１の厚み方向に見た平面視において、側壁部４２の内壁面４２Ａは、筐体２０の外周縁２０Ａや、粘着シート３０（各剥離シート３１，３２）の外周縁３０Ａよりも略同じか僅かに外側に位置する。これにより、粘着シート３０が撓むことなく、底部４１の内面４１Ａに配置される。
【００４８】
側壁部４２は、第１側壁部４２１と、第１側壁部４２１に対向する第２側壁部４２２と、第１側壁部４２１に隣接する第３側壁部４２３と、当該第３側壁部４２３に対向する第４側壁部４２４を有する。
これら各側壁部４２１〜４２４のうちの第１側壁部４２１は、第１溝部４２５を備える。第１溝部４２５には、保管ケース４０に粘着シート３０が収納された状態で、第１剥離シート３１の突出部３１１が配置される。第１溝部４２５は、底部４１に直交し、対向する一対の第１溝内面４２５Ａを有する。この第１溝部４２５は、一対の第１溝内面４２５Ａ間の距離、すなわち、当該第１溝部４２５の幅寸法が、突出部３１１の幅寸法（突出方向と直交する方向の寸法）よりも僅かに大きいか、略同じとなるように形成されている。また、第１溝部４２５は、側壁部４２１の中央部分の一部に設けられ、上記厚み方向に底部４１に達している。
【００４９】
また、第３側壁部４２３及び第４側壁部４２４は、それぞれ第２溝部４２６を備える。第２溝部４２６は、上記平面視において、第３側壁部４２３及び第４側壁部４２４のそれぞれの中央部分を含む位置に設けられている。
第２溝部４２６は、保管ケース４０に生体検査装置１が配置された状態で、当該生体検査装置１のバンド部２６が配置される。この第２溝部４２６は、それぞれ、一対の第２溝内面４２６Ａ間の距離、すなわち、当該第２溝部４２６の幅寸法が、バンド部２６の幅寸法（帯状のバンド部２６の幅方向の寸法）よりも僅かに大きいか、略同じとなるように形成されている。
なお、第２溝部４２６の深さ寸法は、保管ケース４０に生体検査装置１が配置された状態で、第２溝部４２６の溝底面がバンド部２６と干渉することがない寸法に設定されている。
【００５０】
ここで、側壁部４２及び第１溝部４２５は、粘着シート３０（各剥離シート３１，３２）の外周縁３０Ａの少なくとも一部に当接して当該粘着シートの位置を規制する、本発明の第１規制部として機能する。なお、第１規制部としての機能については後述する。
また、側壁部４２及び第２溝部４２６は、筐体２０の外周縁２０Ａの少なくとも一部に当接して当該筐体２０の位置を規制する、本発明の第２規制部として機能する。なお、第２規制部としての機能については、後述する。
【００５１】
［粘着シートの貼着手順］
図７〜図９は、底部４１が水平となるように載置された保管ケース４０を鉛直方向に見た上面図である。なお、図７及び図８では、保管ケース４０には粘着シート３０が収納されている。また、図９では、生体検査装置１が保管ケース４０に配置されている。なお、図７〜図９では、保管ケース４０の内壁面４２Ａと、生体検査装置１の筐体２０及び粘着シート３０との間の間隙寸法を実際よりも大きく図示している。
保管ケース４０の底部４１上には、複数（図示例では５枚）の粘着シート３０が、鉛直方向に積層された状態で、保管ケース４０に収納される（図１参照）。この際、粘着シート３０は、図７に示すように、各剥離シート３１，３２の外周縁（粘着シート３０の外周縁３０Ａ）が保管ケース４０の内壁面４２Ａに沿うように、保管ケース４０に収納される。また、第１剥離シート３１の突出部３１１が第１溝部４２５を通過し、当該突出部３１１の突出方向に沿う外縁部が第１溝内面４２５Ａに沿うように、粘着シート３０が収納されている。これにより、粘着シート３０を保管ケース４０の所定位置に配置することができる。また、使用者は、突出部３１１を用いて、粘着シート３０の取り出しや、収納を容易に行うことができる。
【００５２】
次に、複数の粘着シート３０のうちの最も上に位置する粘着シート３０の第１剥離シート３１が剥離される（図８参照）。この最上部に配置された粘着シート３０では、図８に示すように、第１剥離シート３１が剥離され、粘着部材２４が露出している。なお、第２剥離シート３２の外周縁は、保管ケース４０の内壁面４２Ａに沿うように配置されているため、第１剥離シート３１を剥離する際や、剥離した後における、保管ケース４０に対する粘着シート３０の位置ずれを抑制できる。
【００５３】
次に、図９に示すように、対向部２２（図２参照）から粘着部材２４が除去された生体検査装置１が、対向部２２を下方に向けた状態で、保管ケース４０の内壁面４２Ａに沿って鉛直方向（底部４１に接離する方向）の下方に移動される。そして、粘着部材２４が、対向部２２に貼着される。
ここで、生体検査装置１の筐体２０は、対向部２２の直交方向に見た際の外周縁２０Ａが、保管ケース４０の内壁面４２Ａよりも僅かに小さくなるように形成されている。このため、生体検査装置１は、外周縁２０Ａの少なくとも一部が内壁面４２Ａに当接し、接離方向に直交する水平面における位置が規制された状態で鉛直方向に移動される。なお、筐体２０の外周縁２０Ａと内壁面４２Ａとの間には、保管ケース４０に収納された生体検査装置１が、滑らかに移動可能で、かつ、水平面内における保管ケース４０に対する生体検査装置１の位置がずれることがないように、所定のクリアランス（例えば０．６ｍｍの隙間）が設けられている。これにより、生体検査装置１が保管ケース４０の内壁面４２Ａに沿って移動するため、保管ケース４０内部での位置ズレを抑制でき、対向部２２の所定の位置に粘着部材２４を貼着できる。
【００５４】
［実施形態の作用効果］
本実施形態では、筐体２０の表面のうちの対向部２２における窓部２３を含む領域に粘着部材が設けられる。この粘着部材２４は、測定モジュール１０に受光される光の光軸Ｌに沿う方向に見た平面視において、窓部２３よりも外側に遮光部２４１を有する。
このような構成では、窓部２３が設けられた側から生体検査装置１を、測定対象Ｘに対して押し当てた際に、粘着部材２４を介して、筐体２０を測定対象Ｘに密着させることができる。この際、測定対象Ｘに密着している粘着部材２４の遮光部２４１によって、測定波長域の光を含む外光を遮ることができる。したがって、測定対象Ｘと筐体２０との間の隙間、及び窓部２３を通過した外光が、筐体２０の内部に到達して、測定モジュール１０で受光されることを抑制でき、測定精度を向上させることができる。
また、粘着部材２４により、筐体２０を密着させることにより、生体検査装置１と、測定対象Ｘとの位置ズレを抑制でき、測定精度を向上させることができる。
【００５５】
また、本実施形態では、透光部２４２が遮光部２４１の外側に設けられている。すなわち、遮光部２４１が粘着部材２４の外周縁２４Ａよりも内側に設けられている。粘着部材２４の外周縁２４Ａ付近では、粘着部材２４が剥離しやすい。この外周縁２４Ａに沿って遮光部２４１を設ける場合、遮光部２４１が剥離した部分から外光が侵入するおそれがある。これに対して、本実施形態のように、遮光部２４１が粘着部材２４の外周縁２４Ａよりも内側に設けられているため、遮光部２４１の剥離を抑制でき、外光の侵入をより確実に抑制できる。
【００５６】
また、本実施形態では、遮光部２４１の内側と外側とに透光部２４２が設けられている。このような構成では、遮光部２４１の内側と外側とに設けられた透光部２４２を対象に密着させることによって、遮光部２４１の剥離を抑制できる。したがって、遮光部２４１が剥離することによる、外光の侵入をより確実に抑制できる。
【００５７】
なお、本実施形態では、遮光部２４１は、炭素系導電性フィラーを含有し、当該炭素系導電性フィラーにより遮光性を得る一方で、粘着性が低下する場合がある。このような場合でも、遮光部２４１の内側及び外側に配置された透光部２４２を、測定対象Ｘに密着させることにより、上述のように、遮光部２４１の剥離を抑制できる。
【００５８】
また、本実施形態では、光軸Ｌに沿ってみた平面視において、窓部２３の開口２３１の外縁に沿って遮光部２４１が設けられる。このような構成では、窓部２３により近い位置に遮光部２４１を設けることができ、窓部２３から離れた位置で粘着部材２４が剥離したとしても、窓部２３の近くの遮光部２４１の剥離を抑制でき、上記外光の侵入をより効果的に抑制できる。
【００５９】
また、本実施形態では、粘着部材２４は、遮光部２４１及び透光部２４２が一体成形されているため、粘着部材２４の交換時に、全体を一体的に剥離させたり、貼着させたりすることができる。また、粘着部材２４を対向部２２の表面２２Ａにおける所定領域に配置する際に、一体的に配置することができる。したがって、筐体２０に対して粘着部材２４の位置合わせをすることにより、遮光部２４１を適切な位置に配置することができる。以上から、粘着部材２４の交換を容易に実施することができる。
【００６０】
また、粘着部材２４は、光軸Ｌに沿って見た平面視において、窓部２３と重なる位置に設けられた透光部２４２を有し、測定対象Ｘと窓部２３との間に透光部２４２が配置される。この透光部２４２と透光部材２３２との屈折率差が所定の閾値以下である。このような構成では、測定対象Ｘと窓部２３との間に空気層が形成される場合に比べて、透光部材２３２の界面における屈折率の差を小さくすることができる。したがって、当該界面における反射を抑制でき、光の利用効率を向上させることができる。
【００６１】
また、遮光部２４１は、炭素系導電性フィラーを含有することで導電性を有する。この遮光部２４１と、回路基板１３とを、接続電極２２１及び接続配線２２２を介して導通させることで、遮光部２４１を電極として用いることができる。例えば、表皮を測定の対象とする場合、当該表皮に遮光部２４１を接触させることで、回路基板１３を接地するグランド電極として用いることができる。
【００６２】
また、本実施形態では、光源部１１からの光を分光する分光フィルターとして、選択される波長を変更可能な波長可変干渉フィルター５を備える。このような構成では、複数の測定波長に対する分光測定を容易に実施することができる。
【００６３】
また、本実施形態では、保管ケース４０は、第１規制部としての第１溝部４２５や内壁面４２Ａによって、底部４１から接離する接離方向に直交する面内における、第１剥離シート３１及び第２剥離シート３２の位置を規制することで、接離方向に直交する面内の所定位置に粘着シート３０を配置する。そして、接離方向に生体検査装置１を移動させる際に、保管ケース４０は、第２規制部としての内壁面４２Ａによって、光軸Ｌに沿う方向（接離方向に一致）に直交する面内の生体検査装置１の位置を規制し、光軸Ｌに沿う方向（接離方向）に見て、粘着部材２４と、筐体２０の対向部２２における、粘着部材２４の遮光部２４１と、筐体２０の表面の当該遮光部２４１の設置位置とを重ならせる。このような構成では、筐体２０の所定の位置に粘着部材２４を配置することができる。
【００６４】
［実施形態の変形］
本発明は上述の各実施形態及び変形例に限定されるものではなく、本発明の目的を達成できる範囲での変形、改良等は本発明に含まれるものである。
上記実施形態では、粘着部材２４は、筐体２０の対向部２２の予め設定された所定領域の全域に貼着されている構成を例示したが、本発明はこれに限定されない。例えば、光軸Ｌに沿って見た平面視において、遮光部２４１が窓部２３よりも外側に、当該窓部２３の全周を囲む領域に貼着されていればよい。このような構成であれば、遮光部２４１は、上記平面視において、窓部２３に外縁に沿う位置よりも外側に貼着されていてもよい。
また、粘着部材２４における窓部２３よりも外側の全領域が遮光部２４１でもよい。また、上記平面視における、遮光部２４１よりも内側の領域（例えば、窓部２３と重なる領域）に透光部２４２を設けなくてもよい。また、遮光部２４１の外側の領域にも透光部２４２を設けず、遮光部２４１のみを有する粘着部材２４を採用してもよい。
【００６５】
上記実施形態では、近赤外領域等の他の波長域を測定対象波長とする場合を一例として説明したが、本発明はこれに限定されず、近赤外領域等の他の波長域を測定対象波長域としてもよい。この場合、遮光部２４１は、測定波長域に含まれる波長の光を少なくとも遮光可能な材料で形成されていればよい。
【００６６】
上記実施形態では、粘着部材２４の遮光部２４１及び透光部２４２が一体成形されている構成を例示したが、本発明はこれに限定されず、遮光部２４１及び透光部２４２がそれぞれ別に設けられる構成でもよい。
上記実施形態では、遮光部２４１が、導電性を有する構成を例示したが、本発明はこれに限定されず、導電性を有さない構成としてもよい。
【００６７】
上記実施形態では、底部４１の厚み方向に見た平面視において、筐体２０の外周縁と、保管ケース４０の内壁面４２Ａの形状を略同じ形状とすることで、筐体２０を内壁面４２Ａに沿って移動させたが、本発明はこれに限定されず、生体検査装置１を保管ケース４０に対して位置決めして接離方向に移動させるガイドを備える構成でもよい。具体的には、例えば、保管ケース４０の内壁面４２Ａと、筐体２０及び粘着シート３０との一方に、底部４１に対する接離方向に沿う凸部を、他方に当該凸部が挿入される凹部を形成し、凹部に凸部を挿入することで、生体検査装置１及び粘着シート３０を、接離方向と直交する面内で位置決めしてもよい。また、このような凹部及び凸部を複数組設けてもよい。
【００６８】
上記実施形態では、粘着シート３０の第１剥離シート３１及び第２剥離シート３２のうち、第１剥離シート３１のみが突出部３１１を備える構成を例示したが、本発明はこれに限定されず、第２剥離シート３２も同様の突出部を備える構成としてもよい。これにより、第１溝部４２５によって第２剥離シート３２の突出部の位置決めを行うことができ、より確実に位置ずれを抑制できる。また、第２剥離シート３２が貼着された状態の生体検査装置１から当該第２剥離シートを剥離させる際に、第２剥離シート３２の突出部を用いることで、容易に剥離させることができる。
【００６９】
上記実施形態では、第１溝部４２５が粘着シート３０の位置を規制する第１規制部として機能する構成を例示したが、本発明はこれに限定されず、第１溝部４２５は、突出部３１１よりも幅寸法が大きく、第１規制部として機能を有さない構成としてもよい。
【００７０】
上記実施形態では、第２溝部４２６がバンド部２６の位置を規制する第２規制部として機能する構成を例示したが、本発明はこれに限定されず、第２溝部４２６は、バンド部２６よりも幅寸法が大きく、第２規制部として機能を有さない構成としてもよい。
また、バンド部２６を設けない場合、保管ケース４０に第２溝部４２６を設けなくてもよい。
【００７１】
上記実施形態では、生体検査装置１としてバンド部２６を備える構成を例示したが、本発明はこれに限定されず、バンド部２６を備えない構成としてもよい。
上記実施形態では、表示部２５としての出力装置や図示しない操作ボタン等の入力装置を備える構成を例示したが、本発明はこれに限定されず、上記入力装置及び出力装置を備えない構成としてもよい。なお、このような構成では、生体検査装置１は、有線通信や無線通信によって外部装置と通信可能に構成され、外部装置からの制御信号に基づいて、測定開始や測定終了等の各種動作が制御されてもよい。また、生体検査装置１は、測定結果を外部装置に送信してもよい。
【００７２】
上記実施形態において、波長可変干渉フィルター５を単体で収納するパッケージ内に収納された状態で測定モジュール１０に組み込まれる構成などとしてもよい。この場合、パッケージ内を真空密閉することで、波長可変干渉フィルター５の静電アクチュエーター５６に電圧を印加した際の駆動応答性を向上させることができる。なお、パッケージ内に波長可変干渉フィルター５を収納する場合、当該パッケージに対して光源部１１及び受光部１２を配置し、モールド樹脂１４を設けない構成としてもよい。
【００７３】
上記実施形態において、波長可変干渉フィルター５は、電圧印加により反射膜５４，５５間のギャップ寸法を変動させる静電アクチュエーター５６を備える構成としたが、これに限定されない。
例えば、固定電極５６１の代わりに、第一誘電コイルを配置し、可動電極５６２の代わりに第二誘電コイル又は永久磁石を配置した誘電アクチュエーターを用いる構成としてもよい。
さらに、静電アクチュエーター５６の代わりに圧電アクチュエーターを用いる構成としてもよい。この場合、例えば保持部５２２に下部電極層、圧電膜、及び上部電極層を積層配置させ、下部電極層及び上部電極層の間に印加する電圧を入力値として可変させることで、圧電膜を伸縮させて保持部５２２を撓ませることができる。
【００７４】
上記実施形態において、ファブリーペローエタロンとして、固定基板５１及び可動基板５２が互いに対向する状態で接合され、固定基板５１に固定反射膜５４が設けられ、可動基板５２に可動反射膜５５が設けられる波長可変干渉フィルター５を例示したが、これに限らない。
例えば、固定基板５１及び可動基板５２が接合されておらず、これらの基板間に圧電素子等の反射膜間ギャップを変更するギャップ変更部が設けられる構成などとしてもよい。
また、２つ基板により構成される構成に限られない。例えば、１つの基板上に犠牲層を介して２つの反射膜を積層し、犠牲層をエッチング等により除去してギャップを形成した波長可変干渉フィルターを用いてもよい。
【００７５】
上記実施形態では、分光フィルターとして、波長可変干渉フィルター５を例示したが、本発明はこれに限定されず、例えばＡＯＴＦ（Acousto Optic Tunable Filter）やＬＣＴＦ（Liquid Crystal Tunable Filter）が用いられてもよい。ただし、装置の小型化の観点から上記各実施形態のようにファブリーペローフィルターを用いることが好ましい。
【００７６】
上記実施形態では、分光測定装置として、生体検査装置を例示したが、本発明はこれに限定されない。例えば、分光画像を取得する分光カメラや、測定対象としての食品の成分分析を行う成分分析装置といった、分光画像や分光スペクトルを取得する各種装置に本発明を適用することができる。
上記実施形態では、測定対象波長を変更可能な分光フィルターを備える測定モジュールを備える構成を例示したが、本発明はこれに限定されず、例えば、所定の測定波長における分光測定を実施可能な測定モジュールを採用してもよい。
【００７７】
その他、本発明の実施の際の具体的な構造は、本発明の目的を達成できる範囲で上記実施形態及び変形例を適宜組み合わせることで構成してもよく、また他の構造などに適宜変更してもよい。
【符号の説明】
【００７８】
１…生体検査装置（分光測定装置）、５…波長可変干渉フィルター（分光フィルター）、１０…測定モジュール、１１…光源部、１２…受光部、１３…回路基板、２０…筐体、２２Ａ…表面、２３…窓部、２４…粘着部材、３０…粘着シート、３１…第１剥離シート、３２…第２剥離シート、４０…保管ケース、４１…底部、４１Ａ…内面（載置面）、４２…側壁部（第１規制部、第２規制部）、２２１…接続電極（配線）、２２２…接続配線（配線）、２３１…開口、２３２…透光部材、２４１…遮光部、２４２…透光部、
４２５…第１溝部（第１規制部）、４２６…第２溝部（第２規制部）、Ｌ…光軸、Ｘ…測定対象。
【図１】
2016090250.tif 000003
【図２】
2016090250.tif 000004
【図３】
2016090250.tif 000005
【図４】
2016090250.tif 000006
【図５】
2016090250.tif 000007
【図６】
2016090250.tif 000008
【図７】
2016090250.tif 000009
【図８】
2016090250.tif 000010
【図９】
2016090250.tif 000011